【事件の表示】
　平成１０年特許願第２４３０４２号「浴用化粧料」拒絶査定不服審判事件〔平成１２年　３月　７日出願公開、特開２０００−　７２６５６〕について、次のとおり審決する。
【結　論】
　本件審判の請求は、成り立たない。
【理　由】
１．手続の経緯・本願発明
　本願は、平成１０年８月２８日の出願であって、その請求項１に係る発明は、明細書の記載からみて、その特許請求の範囲の請求項１に記載された事項により特定される次のとおりのものと認める。
　
「【請求項１】グレート・ソルト・レイクから得られる湖水又はその乾燥物を配合することを特徴とする浴用化粧料。」（以下、「本願発明」という。）
　
２．引用例
　原査定の拒絶の理由に引用された、フレグランスジャーナル、Ｎｏ．８９、第４７〜５３頁、(１９８８)（以下、「引用例Ａ」という。）、特開平８−２３１３８２号公報（以下、「引用例Ｂ」という。）、特開平８−１１３５３０号公報（以下、「引用例Ｃ」という。）、及び特開平８−７３３４３号公報（以下、「引用例Ｄ」という。）には以下の事項が記載されている。
　
　引用例Ａ；
　
（Ａ−１）「“海洋療法”は、ヒポクラテスが「温かい海水の風呂」が身体に良いと提唱した約2000年前に始まる長い歴史を持っており、ヨーロッパでは定着している治療法で、東洋医学にも通じる古典的自然療法である。……1959年には、フランス海洋療法学会が設立され、1960年には、フランス医学アカデミーが、海洋療法の定義「海洋気候のなかで、海水……を用いて行う治療」を発表している。……
　黒海、北海、フランス海岸、死海沿岸で行われているこの療法が特に有名であり、文献的にも多くの臨床例が発表されている。有効臨床例は、……、乾癬、……、湿疹、……など……広範囲に渡っており、特に……乾癬、湿疹には素晴らしい効果を示したと報告されている。」（４７頁左欄下から１行〜同頁右欄１７行）
　
（Ａ−２）「最新の科学的分析により海水中に含まれる無機成分はだんだんと解明されつつあり、これらミネラルは、生命維持の宝庫だと言われている。
　……海水は、ヒトの体液と類似していると言われ、勿論、主成分である無機物質（イオン、塩)Ｎａ、Ｃｌ、Ｋ、Ｍｇ等は、……ＮＭＦ(天然保湿因子)の成分である。
　皮膚に対するこれらの保湿作用　角質柔軟作用……のあることは、古くから認められていた。」（４８頁左欄４〜１３行）
　
（Ａ−３）「家庭用浴用剤として、死海の塩は、普通６〜８％の濃度で使用され、「身体全体の血行促進、……、皮膚の健康や美容を保つ……」等の効果があるといわれる。」（４８頁右欄２８〜３２行）
　
（Ａ−４）「無機塩類は、一般に浴用剤の主剤であり製剤中の大部分を構成している。これらは、溶解してイオンの形で皮膚から取り込まれたり、皮膚に付着して効果を発揮する。効果効能としては、保温、血行促進、……、皮膚の洗浄、……、皮膚の収れん等が挙げられる。例えば、Ｍｇ＋＋、Ｃａ＋＋には、……、抗アレルギー作用、消炎作用等が認められている。このことからも、有効微量成分を伴う海水又はその濃縮物の応用開発は非常に意義があると考えられる。
……死海の塩に代表される前述の臨床効果からも海水及びその塩は、“バスソルト”として優れており、美容健康に良く……」（４９頁左欄１４〜３４行）
　
（Ａ−５）「無機塩の保湿効果　角質柔軟効果については、いろいろ研究されており　Fisherにより死海の塩をクリームに配合し保湿効果を評価した結果、尿素に比べ安全で優れた有効性を認めた。これについて彼は、死海の水がＮＭＦ(天然保湿因子)である全ての保湿因子を含有しているためと指摘している。この死海の塩クリームは、皮膚の乾燥、かさぶたの発生、魚鱗化を緩和し、柔軟性と可撓性を与え、二重盲検法を実施したところ、４８人中９３．７５％に効果を認めた。
　以上のように、保湿作用、角質柔軟効果という面においても海水及びその濃縮物は、有効であると考えられる。」（４９頁右欄１７〜２７行）
　
　引用例Ｂ；
　
（Ｂ−１）「死海（Ｄｅａｄ　Ｓｅａ）の海水から得られる塩を配合することを特徴とする浴用組成物。」（特許請求の範囲の請求項１、２頁１欄２〜３行）
　
（Ｂ−２）「Ｄ．Ｓ−Ｍ（【注】：「死海の海水から得られる塩」）が浴用剤として用いるとき、皮膚に湿潤性（しっとり感）、柔軟性（滑らか感）、弾力性（張り）及び艶を付与し得る美肌効果に優れ、更に皮膚常在菌に対する抗菌作用による皮膚清浄作用をも有することを確認し……」（【０００３】、２頁１欄１８〜２２行）
　
　引用例Ｃ；
　
（Ｃ−１）「死海（Ｄｅａｄ　Ｓｅａ）から得られる海水又はその塩を配合することを特徴とする浴用組成物。」（特許請求の範囲の請求項１、２頁１欄２〜３行）
　
（Ｃ−２）「Ｄ．Ｓ（【注】：「死海の海水」）やＤ．Ｓ−Ｓ（【注】：「死海の海水の塩」）が浴用剤として用いるとき、皮膚に湿潤性（しっとり感）、柔軟性（滑らか感）、弾力性（張り）及び艶を付与し得る美肌効果に優れ、更に皮膚常在菌に対する抗菌作用による皮膚清浄作用をも有することを確認し……」（【０００３】、２頁１欄１８行〜同頁２欄１行）
　
　引用例Ｄ；
　
（Ｄ−１）「死海塩は……肌のきめを整えて健やかに保ち、高い殺菌効果が期待される。高塩湖である死海のミネラル分の豊富な海水に浸ると殺菌効果と皮膚の新陳代謝の促進が言われている。」（【０００８】、２頁２欄１５〜２０行）
　
３．対比
　引用例Ｃには、「死海（Ｄｅａｄ　Ｓｅａ）から得られる海水又はその塩を配合することを特徴とする浴用組成物」（摘記事項（Ｃ−１））（以下、引用発明という。）が記載されている。
　
　本願発明と引用発明とを対比すると、死海もグレート・ソルト・レークも塩湖であり、死海から得られる海水（湖水）の塩とはその乾燥物にほかならないから、両者は「塩湖から得られる湖水又はその乾燥物を配合することを特徴とする浴用化粧料」である点で一致し、本願発明は、塩湖が「グレート・ソルト・レイク」であるのに対し、引用発明は「死海」である点で相違する。（相違点）
　
４．当審の判断
（相違点）について
　死海のミネラル分の豊富な海水は美肌効果や殺菌効果を有することは引用例Ｃ（摘記事項（Ｃ−２））のみならず引用例Ｂ、Ｄ（摘記事項（Ｂ−２）、（Ｄ−１））にも記載されている。
　しかしながら、引用例Ａには、黒海、北海、フランス海岸、死海沿岸で行われている海水を用いた療法が、乾癬、湿疹に素晴らしい効果を示したこと、海水中に含まれる無機成分は、ＮＭＦ(天然保湿因子)の成分であり、皮膚に対して保湿作用　角質柔軟作用があること（摘記事項（Ａ−１）、（Ａ−２））、死海の塩に代表される海水又はその塩は、家庭用浴用剤として、身体全体の血行促進、皮膚の健康や美容を保つ等の効果があるといわれ、“バスソルト”として優れており、美容健康に良く効くこと（摘記事項（Ａ−３）、（Ａ−４）、（Ａ−５））の記載がされており、これらの記載からすると、皮膚に対する保湿や角質柔軟作用などの好ましい作用を有する成分は、死海の海水に特有のものではなく、海水やそれと同様に塩類を多く含有する湖水にも存在することは当業者が容易に予測しうるところである。
　そして、グレート・ソルト・レイクが、死海と同様に塩湖、すなわち海水或いはそれ以上に塩分を含む湖であることも本出願当時すでに周知である。
　そうすると、グレート・ソルト・レイクから得られる湖水又はその乾燥物についても、引用例Ｂ〜Ｄに記載の死海由来の海水やその乾燥物と同様な効果を期待して、浴用化粧料に配合することは当業者であれば容易になし得ることである。　
　
　請求人は、本願発明は、グレート・ソルト・レイクから得られる湖水又はその乾燥物を配合することにより、皮膚に対し刺激性がなく、血行を促進して発汗作用を高め、保湿効果にも優れ、且つ美肌作用に優れる旨主張するが、これらの作用は、引用例Ａ乃至Ｄの記載事項から、当業者が予測し得る範囲内のものである。また、請求人は保存安定性にも優れている点や、本願発明は死海の塩に比べて皮膚に対する刺激性が無く、肌に対する感触が良い点で優れる点については、引用文献には何ら記載及び示唆はないとも主張する。
　しかしながら、引用例Ａ（第４９頁左欄７〜９行）の「海水においては刺激性の問題からＮａＣｌ含量等を調節し低減したものが多い」との記載、引用例Ｄの段落【０００９】の「死海塩単独では風呂の肌あたりがきつく入りにくいので他の浴用剤の配合が好ましい。」とあるように、使用する海水や湖水中の塩分濃度に応じてその含量調節や他の追加成分の配合を行い、浴用に適した剤とすることは当業者が適宜必要に応じて行う範囲のことであるから、グレート・ソルト・レイクから得られる湖水又はその乾燥物についても、皮膚に対する刺激性が無く、肌に対する感触が良い、あるいは固結状態の良い配合として用いる点に格別の創意をみいだすことはできない。したがって、請求人の前記主張は採用できない。
　
５．むすび
　以上のとおり、本願発明は、引用例Ａ乃至Ｄに記載された発明に基づいて、当業者が容易に発明をすることができたものであるから、特許法第２９条第２項の規定により特許を受けることができない。
　よって、結論のとおり審決する。